【事件の表示】
　特許第３０５２５４０号「ブラシレスモータ」の請求項１に係る特許に対する特許異議の申立てについて、次のとおり決定する。
【結　論】
　訂正を認める。
　特許第３０５２５４０号の請求項１に係る特許を維持する。
【理　由】
【１】手続きの経緯　
　本件特許第３０５２５４０号の請求項１に係る発明についての出願は、平成４年３月２日に特許出願され、平成１２年４月７日に設定登録され、その後、後田　春紀より特許異議の申立てがなされ、取消理由通知がなされたところ、その指定期間内である平成１３年５月１５日に訂正請求がなされたものである。
　
【２】訂正の適否
ア．訂正事項
１．訂正事項ａ：特許請求の範囲の請求項１における、
「【請求項１】ステータコアと、前記ステータコアに対し周方向に対向するロータマグネットとを有し、前記ステータコアの突状歯部全体あるいは一部をステータコア中心線上を頂点とする円錐形状に塑性加工してなるブラシレスモータ。」を、特許請求の範囲の減縮を目的として、下記の通りに訂正する。
「【請求項１】半径方向外側へ向かって放射状に延びる突状歯部を備えたステータコアと、前記ステータコアに対し周方向に対向するロータマグネットと、前記ロータマグネットおよび前記ステータコアを囲む略カップ状のロータヨークとを有し、前記ロータヨークの内周面には前記突状歯部の外周側の軸方向端面に向かう段差部があって、前記突状歯部全体あるいは一部を、前記段差部に対し軸方向に離れる側へ向かって、ステータコア中心線上を頂点とする円錐形状に塑性加工してなるブラシレスモータ。」
２．訂正事項ｂ：「発明の詳細な説明」の項の「ステータコアと、前記ステータコアに対し周方向に対向するロータマグネットとを有し、前記ステータコアの突状歯部を」を、明りようでない記載の釈明を目的として、下記の通りに訂正する。
「半径方向外側へ向かって放射状に延びる突状歯部を備えたステータコアと、前記ステータコアに対し周方向に対向するロータマグネットと、前記ロータマグネットおよび前記ステータコアを囲む略カップ状のロータヨークとを有し、前記ロータヨークの内周面には前記突状歯部の外周側の軸方向端面に向かう段差部があって、前記突状歯部全体あるいは一部を、前記段差部に対し軸方向に離れる側へ向かって、」。
イ．訂正の目的の適否、新規事項の有無及び拡張・変更の存否
（１）訂正事項ａについて
　訂正事項ａは「ステータコア」の形状及び「ロータヨーク」を限定するものであり、特許請求の範囲の減縮に相当するものである。
（２）訂正事項ｂについて
　訂正事項ｂは、前記特許請求の範囲の訂正（訂正事項ａ）に合わせて発明の詳細な説明の対応箇所を訂正するものであり、明りょうでない記載の釈明に相当するものである。
　そして、訂正事項ａ、ｂは訂正前の明細書に記載された事項に基づくものであり、また、特許請求の範囲を実質上拡張又は変更するものではない。
ウ．むすび
　以上のとおりであるから、前記訂正（訂正事項ａ、ｂ）は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書き、第２項及び第３項の規定に適合するので、当該訂正を認める。
【３】特許異議の申立てについての判断（取消理由についての判断）
　ア．申立ての理由の概要
申立人　後田　春紀は、請求項１に係る発明は、甲第１号証（特開平５ー６２４４７号公報）又は甲第２号証（特開平４ー１７８１５３号公報）に記載された発明と同一であり、特許法第２９条の２の規定により、特許を受けることができないものであるから、特許を取り消すべきであると主張している。
イ．本件特許発明
　本件請求項１に係る発明は、訂正された明細書及び図面の記載からみて、特許請求の範囲の請求項１に記載された次の事項によって特定されるとおりのものである（以下、「本件特許発明」という。）。
「【請求項１】半径方向外側へ向かって放射状に延びる突状歯部を備えたステータコアと、前記ステータコアに対し周方向に対向するロータマグネットと、前記ロータマグネットおよび前記ステータコアを囲む略カップ状のロータヨークとを有し、前記ロータヨークの内周面には前記突状歯部の外周側の軸方向端面に向かう段差部があって、前記突状歯部全体あるいは一部を、前記段差部に対し軸方向に離れる側へ向かって、ステータコア中心線上を頂点とする円錐形状に塑性加工してなるブラシレスモータ。」。
ウ．引用刊行物
　　本件特許発明に対して、当審が通知した取消理由で引用した、特開平５ー６２４４７号公報（以下、「引用例」という。）は、ロータマグネットを有するハードディスク用モータに関し特に図１、図２及び対応する説明箇所には、
　ステータ歯５１〜５９と前記ステータ歯５１〜５９に対し周方向に対向するロータマグネット２４とを有し、前記ステータ歯５１〜５９はその内周部５１ａ〜５９ａのやや外方に屈曲部を有するように加工してなるハードディスク用モータ、が記載されている。　
エ．対比・判断
　本件特許発明と引用例に記載のものとを対比すると、引用例のものは、本件特許発明を特定する事項である、「ロータマグネットおよびステータコアを囲む略カップ状のロータヨーク」、及び「前記ロータヨークの内周面には前記突状歯部の外周側の軸方向端面に向かう段差部があって、前記突状歯部全体あるいは一部を、前記段差部に対し軸方向に離れる側へ向かって、」ステータコア中心線上を頂点とする円錐形状に塑性加工してなる構成を有していない。
　すなわち、引用例のものは、インナーロータ型のモータであって、「ロータマグネットおよび前記ステータコアを囲む略カップ状のロータヨークとを有」する本件特許発明とは、基本的構成を異にする。
　そして、前記構成により、請求項１に係る発明は、「小型で薄型の高特性、高効率のブラシレスモータを実現できる」という、明細書に記載の効果を奏するものと認められる。
　したがって本件特許発明は、取消理由通知で示した刊行物に記載された発明と同一であるとすることはできない。
甲第２号証について、
　異議申立人が提出した甲第２号証のものも、甲第１号証と同様、インナーロータ型のものであるから、甲第１号証との対比・判断で述べた理由と同様の理由により、本件特許発明が甲第２号証に記載された発明と同一であるとすることはできない。
特許法第３６条に規定する要件を満たしていないとする点について、
　異議申立人は異議申立書中において、参考図を揚げて、本件特許発明は該参考図のものを従来技術として比較すべきであり、それに依れば、本件特許発明は（従来技術と比較して）本件特許明細書に記載されたような効果を奏し得ないと主張しているが、この点について検討する。
　本件特許明細書においては、図３のものを従来技術として提示しており、それと本件特許発明とを比較して本件特許明細書に記載された効果を奏する旨、主張しているが、図３として示された従来技術との比較において、本件特許発明が明細書に記載の効果を奏し得ないとする特段の理由は何ら見出し得ない。したがって、その限りにおいて、本件特許発明が特許法第３６条に規定する要件を満たしていないとすることはできない。
　そして、特許明細書に記載された前記従来技術に代えて、異議申立人が提出した前記参考図のものを従来技術とすべき特段の事情は何ら見当たらない以上、異議申立人の前記主張は採用し得ない。
【４】むすび
　以上のとおり、本件請求項１に係る発明は、申立人が提出した甲第１号証又は甲第２号証に記載された発明と同一であるとすることができない。
　また、他に本件請求項１に係る特許を取り消すべき理由を発見しない。
　よって、結論のとおり決定する。
【異議決定日】
平成１３年６月１１日（２００１．６．１１）
【訂正の要旨】
訂正の要旨
　明細書（特許第３０５２５４０号明細書、以下同じ）を本件訂正請求書に添付された訂正明細書のとおり、すなわち特許請求の範囲の減縮を目的として下記のとおり、また、明瞭でない記載の釈明を目的として、或いは誤記の訂正を目的として、下記のとおり訂正する。
１．訂正事項ａ：特許請求の範囲の請求項１における、
「【請求項１】ステータコアと、前記ステータコアに対し周方向に対向するロータマグネットとを有し、前記ステータコアの突状歯部全体あるいは一部をステータコア中心線上を頂点とする円錐形状に塑性加工してなるブラシレスモータ。」を、特許請求の範囲の減縮を目的として、下記の通りに訂正する。
「【請求項１】半径方向外側へ向かって放射状に延びる突状歯部を備えたステータコアと、前記ステータコアに対し周方向に対向するロータマグネットと、前記ロータマグネットおよび前記ステータコアを囲む略カップ状のロータヨークとを有し、前記ロータヨークの内周面には前記突状歯部の外周側の軸方向端面に向かう段差部があって、前記突状歯部全体あるいは一部を、前記段差部に対し軸方向に離れる側へ向かって、ステータコア中心線上を頂点とする円錐形状に塑性加工してなるブラシレスモータ。」。
２．訂正事項ｂ：平成１２年６月１２日発行特許第３０５２５４０号公報に記載の特許明細書第２頁第３欄第１５行〜第１８行の「ステータコアと、前記ステータコアに対し周方向に対向するロータマグネットとを有し、前記ステータコアの突状歯部を」を、下記の通りに訂正する。
「半径方向外側へ向かって放射状に延びる突状歯部を備えたステータコアと、前記ステータコアに対し周方向に対向するロータマグネットと、前記ロータマグネットおよび前記ステータコアを囲む略カップ状のロータヨークとを有し、前記ロータヨークの内周面には前記突状歯部の外周側の軸方向端面に向かう段差部があって、前記突状歯部全体あるいは一部を、前記段差部に対し軸方向に離れる側へ向かって、」
（５４）【発明の名称】
ブラシレスモータ
（５７）【特許請求の範囲】
　【請求項１】
半径方向外側へ向かって放射状に延びる突状歯部を備えた
と、前記ロータマグネットおよび前記ステータコアを囲む略カップ状のロータヨークと
前記ロータヨークの内周面には前記突状歯部の外周側の軸方向端面に向かう段差部があって、前記突状歯部
を、前記段差部に対し軸方向に離れる側へ向かって、
【発明の詳細な説明】
　【０００１】
　【産業上の利用分野】
　本発明はブラシレスモータのステータコアの形状に関する。
　【０００２】
　【従来の技術】
　近年、ブラシレスモータはセットの軽量化・薄型化・小型化に伴い、より小型化薄型化され、さらに高特性、高効率の要求が出てきている。
　【０００３】
　以下に従来のブラシレスモータについて説明する。
　図３は従来のブラシレスモータの構成を示すものである。図３において、シャフト１に固定されたロータヨーク２に、ロータマグネット３が固定されている。ロータマグネット３に対向する位置に設けられたステータコア８に巻線９が巻装されている。ハウジング４にはステータコア８、プリント基板５、上側ベアリング６、下側ベアリング７が取り付けられている。
　【０００４】
　以上のように構成されたブラシレスモータについて、以下その動作を説明する。巻線４に通電されステータコアにより生じた磁界にロータマグネット３が励磁され、ロータヨーク２に回転トルクが発生する。
　【０００５】
　【発明が解決しようとする課題】
　しかしながら上記の従来の構成では、回転トルクを発生させる構成部分が有効に活用されていなかった。回転トルクを最大限に発生させるためにはロータマグネット３のエネルギー積を上げるか、ステータコア８の外径を大きくするか、あるいはステータコア８の積み厚を増すか、あるいは巻線９の巻線量を増加するなどの対策をするが、従来の構成のブラシレスモータではロータマグネット３のエネルギー積を上げるしか手段がなかった。しかしロータマグネット３のエネルギー積を上げすぎるとステータコア８が磁気飽和してしまい磁気ロスが発生しやすくなり、小型で薄型の高特性、高効率のブラシレスモータができないという問題点を有していた。
　【０００６】
　本発明は上記従来の問題点を解決するもので、小型で薄型の高特性、高効率のブラシレスモータを提供することを目的とする。
　【０００７】
　【課題を解決するための手段】
　この目的を達成するために本発明のブラシレスモータは、
半径方向外側へ向かって放射状に延びる突状歯部を備えた
と、前記ロータマグネットおよび前記ステータコアを囲む略カップ状のロータヨークと
前記ロータヨークの内周面には前記突状歯部の外周側の軸方向端面に向かう段差部があって、前記突状歯部
を、前記段差部に対し軸方向に離れる側へ向かって、
　【０００８】
　【作用】
　この構成によって、ステータコアの積み厚を増し外径を大きくすることができ巻線スペースも有効に利用でき、さらに、突状歯部を円錐形にすることにより高エネルギー積のロータマグネットを使用する際に前記突状歯部の磁気飽和に対しても有利な構成とすることができる。
　【０００９】
　【実施例】
　以下本発明の一実施例について、図面を参照しながら説明する。なお、従来例と同一構成部品には同じ符号を付し説明を省略する。
　【００１０】
　図１、図２において、ステータコア８ａは中心線上を頂点とする円錐形状の突状歯部１０を有する構造となっており、ロータヨーク２に取り付けられたロータマグネット３に対向する位置に、突状歯部１０が位置され、さらにステータコア８ａに巻回される巻線９が有効に巻回できる位置になるようにハウジング４に取り付けられる構成になっている。
　【００１１】
　なお、突状歯部１０はステータコア８ａ中心線上にある一定の角度をもって曲げ加工した円錐形状としてもよい。
　【００１２】
　以上のように構成されたブラシレスモータについて、その動作を説明する。円錐形状の突状歯部１０を有するステータコア８ａを用いることにより、ステータコア８ａの積み厚を増し外径を大きくすることができ、また巻線スペースも増すことができ、さらに、高エネルギー積のロータマグネット３を使用した際突状歯部１０の長さを長くできるので、磁気飽和しにくく磁気損失を抑えることができる。
　【００１３】
　以上のように本実施例によれば、ステータコア８ａに突状歯部１０を設けることにより、ステータコア８ａの積み厚を増し外径を大きくするとともに、巻線スペースを増すことができるので、高特性、高効率のブラシレスモータとすることができる。
　【００１４】
　【発明の効果】
　以上の実施例の説明より明らかなように本発明は、ステータコアの突状歯部をステータコア中心線上を頂点とする円錐形状にすることにより、小型で薄型の高特性、高効率のブラシレスモータを実現できるものである。
【図面の簡単な説明】
　【図１】
　本発明の第１の実施例におけるブラシレスモータの断面図
　【図２】
　（ａ）同ステータコアの断面図
　（ｂ）同ステータコアの平面図
　【図３】
　従来のブラシレスモータの断面図
　【符号の説明】
　８ａ　ステータコア
　１０　突状歯部